(57)【特許請求の範囲】
【請求項１】
鏡枠部と、
防水機能のある材料で製造され、複数の第１の構造および複数の第２の構造を有し、平坦な上表面および平坦な下表面の少なくとも一方を有し、前記鏡枠部と密接する受け部と、
隆起部分および底面部分を含み、前記隆起部分と前記底面部分とが相互に連結しており、前記鏡枠部の下に隣設し、且つ前記受け部の下部に隣接する鼻マスク部と、を含む防水フェイスマスクであって、
これら第１の構造は、これら第２の構造と間隔をあけてずれて設けられ、前記平坦な上表面および前記平坦な下表面の少なくとも一方の面に対応してこれら第１の構造およびこれら第２の構造が設けられ、且つ各前記第１の構造の第１の厚さが各前記第２の構造の第２の厚さよりも小さい防水フェイスマスク。
【請求項２】
前記鏡枠部は少なくとも１つのレンズを含む請求項１に記載の防水フェイスマスク。
【請求項３】
各前記第１の構造と各前記第２の構造は、ある方向に沿って間隔をあけてずれて設けられ、且ついずれもストリップである請求項１に記載の防水フェイスマスク。
【請求項４】
これら第１の構造は少なくとも２つの第１の構造があり、且つこれら第２の構造は少なくとも２つの第２の構造がある請求項３に記載の防水フェイスマスク。
【請求項５】
各前記第１の構造と各前記第２の構造は、放射状に間隔をあけてずれて設けられ、且ついずれもストリップである請求項１に記載の防水フェイスマスク。
【請求項６】
各前記第１の構造と各前記第２の構造はいずれもブロックである請求項１に記載の防水フェイスマスク。
【請求項７】
各前記第１の構造と各前記第２の構造は、アレーに間隔をあけてずれて設けられ、且ついずれも四角いブロックである請求項６に記載の防水フェイスマスク。
【請求項８】
これら第１の構造とこれら第２の構造は、不規則に間隔をあけて散在している請求項６に記載の防水フェイスマスク。
【請求項９】
前記第１の厚さが０．０５ｍｍ〜２．５ｍｍにあり、前記第２の厚さが１ｍｍ〜６ｍｍにあり、且つ前記第１の厚さが前記第２の厚さよりも０．０５ｍｍ〜５．９５ｍｍ小さい請求項１に記載の防水フェイスマスク。
【請求項１０】
前記受け部の材料のショア硬さはＡ１０〜Ａ９５間にある請求項１に記載の防水フェイスマスク。
【請求項１１】
前記材料は軟性材料であり、熱可塑性ゴム、熱可塑性ポリウレタン、熱可塑性エラストマ、ポリ塩化ビニル、シリコーン、ゴム又はその組合せを含む請求項１０に記載の防水フェイスマスク。
【請求項１２】
前記鼻マスク部は空洞を形成している請求項１に記載の防水フェイスマスク。
【請求項１３】
前記隆起部分は複数の第３の構造および複数の第４の構造を有し、これら第３の構造がこれら第４の構造と間隔をあけてずれて設けられ、且つ各前記第３の構造の第３の厚さが各前記第４の構造の第４の厚さよりも小さい請求項１に記載の防水フェイスマスク。
【請求項１４】
前記底面部分は複数の第３の構造と複数の第４の構造を有し、これら第３の構造がこれら第４の構造と間隔をあけてずれて設けられ、且つ各前記第３の構造の第３の厚さが各前記第４の構造の第４の厚さよりも小さい請求項１に記載の防水フェイスマスク。
【請求項１５】
各前記第３の構造と各前記第４の構造は、ある方向に沿って間隔をあけてずれて設けられ、且ついずれもストリップである請求項１３又は１４に記載の防水フェイスマスク。
【請求項１６】
各前記第３の構造と各前記第４の構造はいずれもブロックである請求項１３又は１４に記載の防水フェイスマスク。
【請求項１７】
各前記第１の構造と各前記第２の構造は、アレーに間隔をあけてずれて設けられ、且ついずれも四角いブロックである請求項１６に記載の防水フェイスマスク。
【請求項１８】
これら第３の構造とこれら第４の構造は不規則に間隔をあけて散在している請求項１６に記載の防水フェイスマスク。
【請求項１９】
前記第３の厚さが０．０５ｍｍ〜２．５ｍｍにあり、前記第４の厚さが１ｍｍ〜６ｍｍにあり、且つ前記第３の厚さが前記第４の厚さよりも０．０５ｍｍ〜５．９５ｍｍ小さい請求項１３又は１４に記載の防水フェイスマスク。
【請求項２０】
前記鼻マスク部の材料のショア硬さはＡ１０〜Ａ９５間にある請求項１に記載の防水フェイスマスク。
【請求項２１】
前記材料は軟性材料であり、熱可塑性ゴム、熱可塑性ポリウレタン、熱可塑性エラストマ、ポリ塩化ビニル、シリコーン、ゴム又はその組合せを含む請求項２０に記載の防水フェイスマスク。
【発明の詳細な説明】
【技術分野】
【０００１】
本発明は防水フェイスマスクに関し、具体的には、本発明は受け部が交互に配列した異なる厚さの構造を有する防水フェイスマスクに関する。
【背景技術】
【０００２】
水泳、スキンダイビング及び潜水はいずれも今流行っている水中運動であるが、人々が水中運動にかかる設備の外形、快適度、耐久性および価格等に対する要求が増加しているにつれて、業界にはだんだん各種の防水フェイスマスクの関連創新技術を開発し、そのうち、快適に装着し且つ価格が合理であることが業界で最も主要な開発方向である。
【０００３】
図１Ａに示すように、従来の潜水又はスキンダイビングための防水フェイスマスクの斜視図である。従来の潜水又はスキンダイビングための防水フェイスマスク１は鏡枠部１１及び受け部１２を含み、鏡枠部１１は２つのレンズ１１１が装着され、且つ受け部１２と密接して空洞（図示せず）が形成されている。装着時、防水フェイスマスク１の受け部１２は、使用時に液体の空洞への侵入を遮断し、目や鼻に水が侵入して使用者の不快感を招くことを避けるために、使用者の目・鼻部の周りに貼り付けられる。
【０００４】
しかしながら、世界中、各人種の顔型の差異は細長・扁平・幅広・狭窄などのように極めて大きいため、同一の防水フェイスマスク製品がすべての使用者の顔型に適用できないことから、防水フェイスマスクの設計と顔型との不整合によって、使用者に対して選択上の不便や困りを招く可能性がある一方、メーカーは異なる需要に合わせるために多種寸法の防水フェイスマスク製品も開発しなければならない。このようにすれば、メーカー側のコストを増加し、必ず製品の価格に転移する。
【０００５】
類似に、図１Ｂに示すように、従来の水泳のための防水フェイスマスク１’も同じ問題がある。使用者が防水フェイスマスク１’を装着して水泳する時、受け部１２’が使用者の顔型に応じて確実に使用者の目部周囲に密着せず、使用時、液体が空洞に流入し、使用者の目に水が浸入して不快感をもよおす場合がある。
【発明の概要】
【発明が解決しようとする課題】
【０００６】
異なる顔型の大きさに応じて広がり、各使用者に適用できるとともに、多種寸法を開発してコストを増加する等の問題を解決できる防水フェイスマスクを提供することは、業界に差し迫った目標である。
【課題を解決するための手段】
【０００７】
前記問題を解決するために、本発明の目的は、防水フェイスマスクの受け部での異なる厚さの構造の交互配列により、受け部が異なる顔型に応じて広がることで、使用者の目・鼻周囲に緊密に密着する防水フェイスマスクを提供し、これによって、本発明の防水フェイスマスクは異なる使用者の顔型寸法に適用でき、さらに、多種寸法の防水フェイスマスクの開発によるコストの増加を低減できる。
【０００８】
本発明は、少なくとも１つのレンズを有する鏡枠部と、間隔をあけてずれて設けられる複数の第１の構造および複数の第２の構造を有し、鏡枠部と密接する受け部と、を含み、且つ、各第１の構造の第１の厚さが各第２の構造の第２の厚さよりも小さく、受け部が平坦な上表面および平坦な下表面の少なくとも一方を有する防水フェイスマスクを提供する。
【０００９】
前記目的、技術特徴、及びメリットをよりわかりやすくするように、以下、好適な実施例および図面に基づいて詳しく説明する。
【図面の簡単な説明】
【００１０】
【図１Ａ】従来の防水フェイスマスクの模式図である。
【図１Ｂ】他の従来の防水フェイスマスクの模式図である。
【図２】第１の実施例による防水フェイスマスクの模式図である。
【図３】第１の実施例による防水フェイスマスクの部分拡大図である。
【図４】第１の実施例による防水フェイスマスクの他の実施形態の模式図である。
【図５】第２の実施例による防水フェイスマスクの模式図である。
【図６】第３の実施例による防水フェイスマスクの模式図である。
【図７】第３の実施例による防水フェイスマスクの部分拡大図である。
【図８】第４の実施例による防水フェイスマスクの模式図である。
【図９】第５の実施例による防水フェイスマスクの模式図である。
【図１０】第６の実施例による防水フェイスマスクである。
【発明を実施するための形態】
【００１１】
以下、複数の実施例によって本発明の内容を説明するが、実施例にかかる説明は本発明の技術内容とその目的を解釈するだけで、本発明を直接制限するものではない。以下の実施例および図面において、本発明に直接関係ない素子はすでに省略されて図示せず、且つ図面における各素子の寸法と相対位置関係は、より分かりやすいように示すだけで、実施する割合および寸法の大きさを制限するものではない。
【００１２】
本発明の第１の実施例は防水フェイスマスクであり、図２はその防水フェイスマスク２を示す立体模式図である。防水フェイスマスク２は鏡枠部２１、受け部２２及び鼻マスク部２３を含み、これによって、２つの空洞を形成し、使用者の目・鼻部をそれぞれカバーする。
【００１３】
鏡枠部２１は受け部２２と密接し、且つ２つのレンズ２１１を有し、鼻マスク部２３は鏡枠部２１の下に隣接し、且つ受け部２２の下部に隣接する。受け部２２はほぼ同一の方向に沿って間隔をあけてずれて設けられた複数の第１の構造２２１及び複数の第２の構造２２２を有し、各第１の構造２２１の第１の厚さは各第２の構造２２２の第２の厚さよりも小さい。具体的には、本発明の第１の厚さは０．０５ｍｍ〜２．５ｍｍにあり、第２の厚さは１ｍｍ〜６ｍｍにあり、且つ第１の厚さは第２の厚さよりも０．０５ｍｍ〜５．９５ｍｍ小さい。
【００１４】
図３は、図２の受け部２２上の第１の構造２２１及び第２の構造２２２の点線楕円で選定した部分拡大図である。この実施例において、第１の構造２２１及び第２の構造２２２はいずれもストリップ構造であり、且つ第１の構造２２１及び第２の構造２２２はいずれも受け部２２の外囲に交差し、例えば、ほぼ相互に直交したり、他の角を成ったりし、即ち、使用者から見ると、第１の構造２２１及び第２の構造２２２が縦方向に配列した凹凸交差のストライプである。本実施例のその他の実施形態において、当該分野の技術を熟知するものはその他の数のストリップ構造を類推でき、ストリップの第１の構造の数が２本以上であり、且つストリップの第２の構造の数も２本以上である。
【００１５】
説明すべきことは、第１の実施例に示す凹凸のストリップ状の第１の構造２２１及び第２の構造２２２が受け部２２の上表面に形成され、受け部２２の下表面（すなわち、使用者の顔部に接する表面）は平坦な下表面であることである。それに基づき、当該技術分野を熟知するものは図４に示す防水フェイスマスク４を類推でき、この形態において、防水フェイスマスク４も同様に鏡枠部４１、受け部４２及び鼻マスク部４３を含むが、受け部４２が平坦な上表面を有し、第１の構造４２１及び第２の構造４２２が受け部４２の下表面に設けられ、そのため、受け部４２は第１の構造４２１及び第２の構造４２２で使用者の顔部に直接密着する。
【００１６】
本発明の防水フェイスマスクの受け部は、Ａ１０〜Ａ９５間にあるショア硬さ(Ｓｈｏｒｅ  ｈａｒｄｎｅｓｓ)を有する軟性材料を採用している。この軟性材料は例えば熱可塑性ゴム（Ｔｈｅｒｍｏｐｌａｓｔｉｃ  Ｒｕｂｂｅｒ,  ＴＰＲ）、熱可塑性ポリウレタン（Ｔｈｅｒｍｏｐｌａｓｔｉｃ  Ｐｏｌｙｕｒｅｔｈａｎｅ,  ＴＰＵ）、熱可塑性エラストマ（Ｔｈｅｒｍｏｐｌａｓｔｉｃ  Ｅｌａｓｔｏｍｅｒ,  ＴＰＥ）、ポリ塩化ビニル（Ｐｏｌｙｖｉｎｙｌ  Ｃｈｌｏｒｉｄｅ,  ＰＶＣ）、シリコーン（Ｓｉｌｉｃｏｎｅ）、ゴム（Ｒｕｂｂｅｒ）又はその組合せであり、当該分野に通常知識を持つ者がその他の材料で取り替えてもよく、ここで制限しない。
【００１７】
本発明の第２の実施例も防水フェイスマスクであり、図５はその防水フェイスマスク５を示す正面模式図である。第２の実施例の防水フェイスマスク５が同様に鏡枠部５１、受け部５２及び鼻マスク部５３を有するため、その技術的な特徴がおおよそ本発明の第１の実施例に類似し、同じ箇所についてはここで再度述べない。しかし、特に説明すべきのは、第２の実施例では、第１の実施例と異なり、主に、第２の実施例の防水フェイスマスク５において、各第１の構造５２１及び第２の構造５２２はいずれも受け部５２の外周に交差しなく、即ち、ほぼ相互に平行し、即ち、使用者にとって、第１の構造５２１と第２の構造５２２は縦方向ではなく横方向に配列した凹凸交差のストライプであることにある。
【００１８】
前記第１の実施例および第２の実施例に基づき、本分野の技術を熟知するものはその他の類似する実施形態を類推できる。第１の構造および第２の構造がストリップ凹凸である場合、放射状に間隔をあけてずれて設けられてもよく、その他の規則的な方式で配列してもよく、数段の不連続ストリップ凹凸を形成してもよく、その他の不規則的な方式で配列してもよい。
【００１９】
本発明の第３の実施例も防水フェイスマスクであり、図６はその防水フェイスマスク６を示す正面模式図であり、図６において点線楕円で選定した細部の構成を図７の部分拡大図に示す。第３の実施例の防水フェイスマスク６も同様に鏡枠部６１、受け部６２及び鼻マスク部６３を有し、その技術的な特徴がおおよそ前述した実施例とは差異ないため、同一の箇所についてはここで再度述べない。ところで、特に説明すべきは、第３の実施例では、第１、第２の実施例と異なり、主に、第３の実施例における各第１の構造６２１及び第２の構造６２２がいずれも四角いブロックであり、これら第１の構造６２１とこれら第２の構造６２２がアレーとして交互に設けられており、特に、これら第１の構造６２１とこれら第２の構造６２２が矩形状アレーとして間隔をあけてずれて設けられていることにある。
【００２０】
第３の実施例において、第１の構造６２１と第２の構造６２２は四角いブロックであるが、実用上、第１の構造および第２の構造をその他の形状のブロックに設計してもよく、例えば、円柱ブロック、円錐ブロック、楕円柱ブロック、楕円錐ブロック、四角形柱ブロック、四角形錐ブロック等でもよい。また、第１の構造および第２の構造はアレーに配列することに限定されなく、不規則的またはその他の方式で規則的に間隔をあけて散在してもよい。
【００２１】
前述した各実施例はいずれも潜水またはスキンダイビングのための防水フェイスマスクであるが、防水フェイスマスクの応用は潜水またはスキンダイビングに限定されず、防水の場合のいずれに応用してもよい。また、防水フェイスマスクは、使用者の鼻部の防水を必要しないか必要するか等の異なる目的に合わせて、必要によって鼻マスク部を省略または添加してもよい。例えば、図８は水泳に使用する防水フェイスマスクの模式図であり、この第４の実施例において、防水フェイスマスク８はスイミングゴーグルであり、同様に鏡枠部８１及び受け部８２を有する。受け部８２は鏡枠部８１に密接し、且つ複数の第１の構造８２１及び複数の第２の構造８２２をも有する。第１の構造８２１は第２の構造８２２とほぼ同一の方向に沿って、間隔をあけてずれて設けられ、且つ各第１の構造８２１の第１の厚さは各第２の構造８２２の第２の厚さよりも小さい。
【００２２】
本実施例において、同様に防水フェイスマスクの受け部８２と使用者の顔部との接触位置をプリーツスカートのような構造に設計したため、受け部８２が使用者の顔型に応じて変形でき、より快適に顔に装着させるようになっている。同様に、本実施例による受け部８２の第１の構造８２１及び第２の構造８２２は前述した形態に限定されなく、その他の形状または配列方式に取り替えてもよい。
【００２３】
本発明の第５の実施例は防水フェイスマスクであり、図９は、防水フェイスマスク９を示す立体模式図である。本実施例の防水フェイスマスク９は同様に鏡枠部９１、受け部９２及び鼻マスク部９３を有し、その技術的な特徴はおおよそ第１の実施例と差異ないため、同一の箇所についてはここで再度述べない。
【００２４】
しかしながら、本実施例による鼻マスク部９３は同様に鏡枠部９１の下に隣接し、且つ受け部９２の下部に隣接するが、具体的には、鼻マスク部９３が隆起部分９３１及び底面部分９３２を含み、且つ隆起部分９３１と底面部分９３２とが相互に連結している。隆起部分９３１が複数の第３の構造９４及び複数の第４の構造９６を含み、これら第３の構造９４とこれら第４の構造９６とがほぼ同一の方向に沿って間隔をあけてずれて設けられ、且つ各第３の構造９４の第３の厚さは各第４の構造９６の第４の厚さよりも小さい。具体的には、本発明の第３の厚さは０．０５ｍｍ〜２．５ｍｍにあり、第４の厚さが１ｍｍ〜６ｍｍにあり、且つ第３の厚さは第４の厚さよりも０．０５〜５．９５ｍｍ小さい。
【００２５】
共に図３も参照すると、図３は、図９の受け部９２上の第１の構造９２１及び第２の構造９２２の部分拡大図であり、且つ、鼻マスク部９３の隆起部分９３１上の第３の構造９４及び第４の構造９６の部分拡大図でもある。この実施例において、第１の構造９２１、第２の構造９２２、第３の構造９４及び第４の構造９６はいずれもストリップ構造であり、即ち、使用者から見ると、第１の構造９２１、第２の構造９２２、第３の構造９４及び第４の構造９６は縦方向に配列した凹凸交差ストライプである。本実施例のその他の実施形態において、当該分野の技術を熟知するものはその他の数のストリップ構造を類推でき、ストリップの第１の構造および第３の構造の数は２本以上であり、且つ、ストリップの第２の構造、第４の構造の数も２本以上である。
【００２６】
以上によると、図１０に示す防水フェイスマスク１０を類推でき、この第６の実施例においては、防水フェイスマスク１０の素子がおおよそ第５の実施例と同じため、類似する部分については再度述べない。第５の実施例と異なるのは、第６の実施例の第３の構造１０４及び第４の構造１０６は、第５の実施例の隆起部分９３１ではなく底面部分１０１に間隔をあけてずれて設けられていることにある。
【００２７】
図６及び図７を同時に参照すると、当該技術分野を熟知するものは第５の実施例および第６の実施例に記載した第３の構造および第４の構造を、さらに図６及び図７に示す第３の実施例における第１の構造および第２の構造の構造および配列方式に類推適用してもよく、即ち、各第３の構造および第４の構造がいずれも四角いブロックであり、且つこれら第３の構造とこれら第４の構造が矩形状アレーとして間隔をあけてずれて設けられている。特に説明すべきは、第１の構造と第２の構造の厚さの差異関係は、第３の構造と第４の構造の厚さの差異関係と同一でも異なっていてもよく、また、第１の構造と第２の構造の外形構造も第３の構造と第４の構造の外形構造と同一でも異なっていてもよいことである。
【００２８】
その他の応用上、第３の構造および第４の構造は例えば円柱ブロック、円錐ブロック、楕円柱ブロック、楕円錐ブロック、四角形柱ブロック、四角形錐ブロック等のようなその他の形状のブロックとして設計してもよく、第３の構造および第４の構造もアレーに配列することに限定されなく、不規則的またはその他の方式で規則的に間隔をずれて散在させてもよい。
【００２９】
第５の実施例および第６の実施例は厚さの差異を形成する第３の構造および第４の構造を有するため、使用者が容易に鼻梁に沿って鼻腔部を挟むことで、鼻腔部内の液体を排出することができる。より鼻腔部を挟んで変形させやすくために、前記第５の実施例、第６の実施例および関連する実施形態の防水フェイスマスクの鼻マスク部は、Ａ１０〜Ａ９５間にあるショア硬さを有する軟性材料を採用している。この軟性材料は、例えば、熱可塑性ゴム、熱可塑性ポリウレタン、熱可塑性エラストマ、ポリ塩化ビニル、シリコーン、ゴム又はその組合せであり、当該分野の通常知識を有するものがその他の材料に取り替えてもよく、ここで制限しない。
【００３０】
前述した各実施例を参照すれば、当該分野技術を熟知するものはその他の形態を類推でき、例えば、受け部には完全に第１の構造および第２の構造を満たす必要がなく、厚さ上の差異を達成してもよく、鼻マスク部上の第３の構造および第４の構造も同様である。本発明において、受け部の第１の構造と第２の構造および鼻マスク部の第３の構造と第４の構造がいずれも厚さ上の差異を有するため、厚さが比較的に薄い第１の構造と第３の構造の延伸性が良い特性と、厚さが比較的に厚い第２の構造と第４の構造の安定した支持の特性を利用し、使用者は防水フェイスマスクを装着する時、防水フェイスマスクが柔軟すぎて崩壊しやすいことによって、鏡枠部を顔に押し当てた時不快感を招くことを心配する必要がないだけでなく、異なる顔型に応じて広げることができ、すべての顔型の人が皆快適に装着できる。また、メーカーにとって、各種の需要に応じて異なる寸法の防水フェイスマスクを製造する必要がなく、コストを低減できる。
【００３１】
本発明の実施様態及び技術特徴を前記実施例を例として開示したが、これは決して本発明を限定するものではなく、当該分野の技術を熟知しているものであれば、本発明の精神と領域を離脱しない範囲内で、多様の変更や修正を加えることができる。従って本発明の保護範囲は、特許請求の範囲で指定した内容を基準とする。
【符号の説明】
【００３２】
１：防水フェイスマスク
１１：鏡枠部
１１１：レンズ
１２：受け部
１’：防水フェイスマスク
１２’：受け部
２：防水フェイスマスク
２１：鏡枠部
２１１：レンズ
２２：受け部
２２１：第１の構造
２２２：第２の構造
２３：鼻マスク部
４：防水フェイスマスク
４１：鏡枠部
４２：受け部
４２１：第１の構造
４２２：第２の構造
４３：鼻マスク部
５：防水フェイスマスク
５１：鏡枠部
５２：受け部
５２１：第１の構造
５２２：第２の構造
５３：鼻マスク部
６：防水フェイスマスク
６１：鏡枠部
６２：受け部
６２１：第１の構造
６２２：第２の構造
６３：鼻マスク部
８：防水フェイスマスク
８１：鏡枠部
８２：受け部
８２１：第１の構造
８２２：第２の構造
９：防水フェイスマスク
９１：鏡枠部
９２：受け部
９２１：第１の構造
９２２：第２の構造
９３：鼻マスク部
９３１：隆起部分
９３２：底面部分
９４：第３の構造
９６：第４の構造
１０：防水フェイスマスク
１０１：底面部分
１０４：第３の構造
１０６：第４の構造
【図１Ａ】
0005602647.tif 000002
【図１Ｂ】
0005602647.tif 000003
【図２】
0005602647.tif 000004
【図３】
0005602647.tif 000005
【図４】
0005602647.tif 000006
【図５】
0005602647.tif 000007
【図６】
0005602647.tif 000008
【図７】
0005602647.tif 000009
【図８】
0005602647.tif 000010
【図９】
0005602647.tif 000011
【図１０】
0005602647.tif 000012